(57)【特許請求の範囲】
【請求項１】
少なくとも２つの固締要素（１６）及び少なくとも１つの接続要素（２６）を含む脊柱安定化システム（１０）のための外科用固締要素（１６）であって、
前記外科用固締要素（１６）が、固締区域（２０）と、接続要素受け（２４）を備えた保持区域（２２）と、前記接続要素（２６）を前記接続要素受け（２４）内で固定するための、前記保持区域（２２）上に固定可能な固定要素（４２；４２’）とを含む外科用固締要素において、
前記固定要素（４２；４２’）が、前記接続要素（２６）を前記接続要素受け（２４）内で押下するための押下要素（４６；４６’）を担持すること、
前記固定要素（４２；４２’）が、遠位固定要素区域（６２；６２’）と近位固定要素区域（６４；６４’）を分離する所定の折断点（５４；５４’）を有すること、及び
前記押下要素（４６；４６’）の少なくとも一部分が、前記近位固定要素区域（６４；６４’）上に配置されること、
を特徴とする外科用固締要素。
【請求項２】
請求項１に記載の外科用固締要素であって、前記固定要素（４２；４２’）が、スリーブ形の又は略スリーブ形の構成を有すると共に、前記固定要素（４２；４２’）の長手方向軸（７０；７０’）を同軸に包囲する固定要素壁（７６）を有すること、及び／又は、前記固定要素（４２；４２’）が、前記押下要素（４６；４６’）のために遠位方向で作用する止め（９８；９８’）を含むこと、を特徴とする外科用固締要素。
【請求項３】
請求項１又は２に記載の外科用固締要素であって、
前記固定要素（４２；４２’）が、固定スクリュー（４４；４４’）の形態に構成され、前記固定スクリュー（４４；４４’）が、該固定スクリュー（４４；４４’）の遠位端から出発して近位方向に延びる雄ねじ（５２；５２’）を含むこと、及び
前記雄ねじ（５２；５２’）が、前記保持区域（２２）上に形成された雌ねじ（３４）に対応するように構成されること、
を特徴とする外科用固締要素。
【請求項４】
請求項２又は３に記載の外科用固締要素であって、前記固定要素（４２；４２’）が、前記止め（９８；９８’）を形成する又は含むヘッド（４８；４８’）を含むこと、を特徴とする外科用固締要素。
【請求項５】
請求項１〜４のいずれか１項に記載の外科用固締要素であって、前記押下要素（４６；４６’）が、前記固定要素（４２；４２’）上に回転可能に装着されること、及び／又は、前記押下要素（４６；４６’）が、軸方向において不動又は略不動であるように前記固定要素（４２；４２’）上に保持されること、及び／又は、前記押下要素（４６；４６’）が、スリーブ形の又は略スリーブ形の構成を有すること、及び／又は、前記押下要素（４６；４６’）が、長手方向軸（７０；７０’）に関して直径方向に対向する２つの凹部（１０３；１０３’）を含むこと、を特徴とする外科用固締要素。
【請求項６】
請求項１〜５のいずれか１項に記載の外科用固締要素であって、前記押下要素（４６；４６’）が、遠位方向に突き出ると共に直径方向に対向する２つの押下突起（１００；１００’）を担持する保持リング（９４；９４’）を含むこと、を特徴とする外科用固締要素。
【請求項７】
請求項６に記載の外科用固締要素であって、前記保持リング（９４；９４’）が、前記押下要素（４６；４６’）の近位端を形成すること、を特徴とする外科用固締要素。
【請求項８】
請求項６又は７に記載の外科用固締要素であって、前記押下要素（４６；４６’）が前記固定要素（４２；４２’）に連結される接続位置において、前記保持リング（９４；９４’）の近位端が、前記止め（９８；９８’）に寄りかかること、及び／又は、前記保持リング（９４；９４’）の外径が、前記ヘッド（４８；４８’）の外径に対応する又はほぼ対応すること、を特徴とする外科用固締要素。
【請求項９】
請求項１〜８のいずれか１項に記載の外科用固締要素であって、前記固定要素（４２；４２’）と前記押下要素（４６；４６’）を接続位置において解放可能に接続するためのロック接続部（１２２；１２２’）を特徴とする外科用固締要素。
【請求項１０】
請求項３〜９のいずれか１項に記載の外科用固締要素であって、前記遠位固定要素区域（６２；６２’）が、近位方向を向いて開放している遠位工具要素受け（８２；８２’）を含むこと、を特徴とする外科用固締要素。
【請求項１１】
請求項３〜１０のいずれか１項に記載の外科用固締要素であって、前記近位固定要素区域（６４；６４’）が、近位方向を向いて開放している近位工具要素受け（７２；７２’）を含むこと、を特徴とする外科用固締要素。
【請求項１２】
請求項１〜１１のいずれか１項に記載の外科用固締要素であって、前記固定要素（４２；４２’）の遠位端が閉じていること、を特徴とする外科用固締要素。
【請求項１３】
請求項１〜１２のいずれか１項に記載の外科用固締要素であって、前記固定要素（４２；４２’）が一体の構成を有すること、及び／又は、前記押下要素（４６；４６’）が一体の構成を有すること、及び／又は、前記固定要素（４２；４２’）と前記押下要素（４６；４６’）が異なる材料から形成されること、を特徴とする外科用固締要素。
【請求項１４】
少なくとも２つの外科用固締要素（１６）及び少なくとも１つの接続要素（２６）を含む脊柱安定化システム（１０）であって、
前記少なくとも２つの外科用固締要素（１６）のうちの少なくとも１つが、固締区域（２０）と、接続要素受け（２４）を備えた保持区域（２２）と、前記接続要素（２６）を前記接続要素受け（２４）内で固定するための、前記保持区域（２２）上に固定可能な固定要素（４２）とを含む脊柱安定化システムにおいて、
前記固定要素（４２；４２’）が、前記接続要素（２６）を前記接続要素受け（２４）内で押下するための押下要素（４６；４６’）を担持すること、
前記固定要素（４２；４２’）が、遠位固定要素区域（６２；６２’）と近位固定要素区域（６４；６４’）を分離する所定の折断点（５４；５４’）を有すること、及び
前記押下要素（４６；４６’）の少なくとも一部分が、前記近位固定要素区域（６４；６４’）上に配置されること、
を特徴とする脊柱安定化システム。
【請求項１５】
請求項１４に記載の脊柱安定化システムであって、該脊柱安定化システムが内側スリーブ（１２６；１２６’）を含み、該内側スリーブ（１２６；１２６’）が、前記保持区域（２２）に一時的に連結されるように適合されていると共に、前記固定要素（４２；４２’）の雄ねじ（５２；５２’）に対応する雌ねじ（１３４；１３４’）を有すること、を特徴とする脊柱安定化システム。
【発明の詳細な説明】
【技術分野】
【０００１】
本発明は、少なくとも２つの固締要素及び少なくとも１つの接続要素を含む脊柱安定化システムのための外科用固締要素であって、前記外科用固締要素が、固締区域と、接続要素受けを備えた保持区域と、前記接続要素を接続要素受け内で固定するための保持区域上に固定可能な固定要素とを含む外科用固締要素に関する。
【０００２】
本発明は更に、少なくとも２つの外科用固締要素及び少なくとも１つの接続要素を含む脊柱安定化システムであって、前記少なくとも２つの外科用固締要素のうちの少なくとも１つが、固締区域と、接続要素受けを備えた保持区域と、前記接続要素を前記接続要素受け内で固定するための、前記保持区域上に固定可能な固定要素とを含む脊柱安定化システムに関する。
【背景技術】
【０００３】
冒頭に記載した種類の外科用固締要素及び脊柱安定化システムが、例えばEP 2 266 483 A1から知られている。脊柱を安定させるために、知られているこれらの固締要素が、隣り合った椎体内に挿入され、１つ以上の接続要素により互いに接続される。これらの固締要素は特に、固締スクリュー、例えば椎弓根スクリューの形態にすることができる。接続要素は、ロッド形、及び／又はプレート形とすることができるのであり、隣り合った椎体間でこのようにして規定の接続が設定可能である。２つだけでなく２つ、３つ、又はそれ以上の脊柱の運動分節を互いに連結し安定させることができるように、当然ながら、脊柱安定化システムは、更なる固締要素及び接続要素を包含することもできる。
【０００４】
特に、このような脊柱安定化システムの低侵襲性の埋込みにおいては、接続要素を接続要素受け内に導入し、その後に通常やや小さい固定要素を挿入することは問題である。
【０００５】
固定要素をより簡単に挿入するために、接続要素は通常、接続要素受け内に押し込まれる。
【０００６】
知られているシステムにおいて、固締要素の導入及び接続要素の固定は、原則として固締要素を導入し留めておくステップ、接続要素を接続要素受け内に挿入するステップ、接続要素を接続要素受け内に押し込み、その後、固定要素を導入するステップ及び固定要素を用いて接続要素を接続要素受け上で不動に固定するステップ、という幾つかのステップから成る。接続要素を接続要素受け内に押し込む目的は、特に接続要素を固定するために固定要素を導入し好ましくは保持区域への力なしにこの固定要素を固定できるように、接続要素を接続要素受け内の規定の端位置にもたらしてそこで保持することである。
【０００７】
特に、接続要素を接続要素受け内に押し込むために外側スリーブを使用することが知られている。ところが、このことはこのために皮膚切開を著しく拡大せねばならないという欠点を有する。別法として、固定要素が固定された後に、例えば、固定要素の保持区域上の案内部として働く長尺部を折断することにより、長尺の保持区域を部分的に除去することのできる又は除去されねばならない固締要素も知られている。ところが、いずれの変形例も外科処置に伴う努力を増し、特に手術時間を長引かせるという欠点を有する。
【先行技術文献】
【特許文献】
【０００８】
【特許文献１】EP 2 266 483 A1 & US 2010/0331897 A1
【特許文献２】US 7 985 242 B2
【特許文献３】US 2006/0149241 A1
【特許文献４】WO 2009/132110 A1
【特許文献５】EP 1 891 904 A1
【特許文献６】FR 2 829 014 A1 & US 2005/0240180 A1
【特許文献７】US 2009/062865 A1
【特許文献８】US 5 667 508 A
【特許文献９】DE 296 06 468 U1
【特許文献１０】FR 2 624 720 A1
【特許文献１１】DE 94 03 231 U1
【特許文献１２】WO 96/21396 A1
【発明の概要】
【発明が解決しようとする課題】
【０００９】
従って、特に、冒頭に記載した種類の前記脊柱安定化システムの埋込みを簡素化することが本発明の目的である。
【課題を解決するための手段】
【００１０】
この目的は冒頭に記載した種類の外科用固締要素及び脊柱安定化システムに関して、本発明によれば、特に、前記固定要素が、前記接続要素を前記接続要素受け内で押下するための押下要素を担持するという点で成就される。
【００１１】
前記外科用固締要素の前記固定要素は、導入の際に前記接続要素を同時に前記接続要素受け内に押し込んで中で保持することもできるように構成することにより、今までの個別の操作ステップ、具体的には前記接続要素を前記接続要素受け内に押し込みこの接続要素を中で保持するステップを、完全に排除することが可能になる。本発明によれば、前記固定要素を導入しつつ既に前記接続要素を前記接続要素受け内に押し込むことができる。前記操作ステップを排除するおかげで、外科処置の全継続時間を短縮し、更に手術を簡素化することができる。更に、前記固定要素と前記押下要素とが連結される又は前記固定要素がこの固定要素とは別に形成された前記押下要素を担持する接続位置において、前記押下要素の遠位端が前記固定要素の遠位端を越えて突出すると特に好都合なことがある。従って具体的には、特に前記固定要素が、特にその遠位固定要素区域が、前記保持区域の雌ねじと係合状態になることなしに、前記押下要素は前記接続要素を前記接続要素受け内に押し込むことができる。
【００１２】
特に、前記固定要素がスリーブ形の又は略スリーブ形の構成を有すると共に、前記固定要素の長手方向軸を同軸に包囲する固定要素壁を含むことにより、前記固締要素の特に単純な構成が達成可能である。特に、このことにより例えば前記固定要素を通して、工具を用いて前記固定要素の遠位端に直接アクセスし、固定要素を前記保持区域上に固定することが可能になる。
【００１３】
前記固定要素は、好都合なことに遠位方向に作用する前記押下要素用止めを含む。このようにして、前記押下要素の前記固定要素に対する移動を近位方向で限定することができる。
【００１４】
特に前記接続位置のときに遠位方向を向く止め面を前記止めが有することにより、特に単純な構造上の設計が達成され、前記押下要素は止め面に寄りかかる、
【００１５】
前記固定要素は、好ましくは固定スクリューの形態に構成される。この固定スクリューは、前記固定スクリューの遠位端から出発して近位方向に延びる雄ねじを含み、前記雄ねじは、前記保持区域上に形成される雌ねじに対応するように構成される。特に、この構造により前記固定要素を前記保持区域の雌ねじにねじ込むことが可能になる。従って、前記接続要素を単純かつ確実な仕方で前記接続要素受けに固定することができる。
【００１６】
更に前記固定要素が、遠位固定要素区域と近位固定要素区域を分離する所定の折断点を有することが有利なことがある。このことにより、概して前記接続要素を前記保持区域に不動に固定するには最終的に固定要素の一部のみを前記保持区域上に残せばよいため、前記固定要素は取り扱いが簡単になる。
【００１７】
前記所定の折断点が、前記長手方向軸に関して周方向に又は略周方向に延びて前記固定要素壁内に形成される凹部によって形成されることにより、前記固締要素の前記構造は特に単純になる。特に、前記凹部は楔形の環状溝とすることができる。
【００１８】
前記周方向凹部が前記長手方向軸から離れる方を向くように形成されることにより、前記固締要素の製造が特に単純になる。その際例えば、前記周方向凹部は、前記固定要素の最後の製造ステップにおいて形成することが可能である。
【００１９】
前記遠位固定要素区域が遠位雄ねじ区域を含み、前記近位固定要素区域が近位雄ねじ区域を含むことが有利である。この構造により、前記遠位固定要素区域と前記近位固定要素区域の両方を、いずれの場合も器具上の及び／又は前記保持区域上の対応する雌ねじ区域に螺合する及び／又は螺脱することが可能になる。
【００２０】
前記固定要素は、好ましくは前記止めを形成又は包含するヘッドを含む。従って、前記止めは、特に単純な仕方で形成することができる。
【００２１】
前記ヘッドが、前記ヘッドに遠位側で接するシャフトの外径よりも大きい外径を有することが好都合である。このようにして前記止めは特に容易に実現することができる。
【００２２】
特に、前記固定要素上に前記押下要素を位置決めし装着するために、ねじ山のないシャフト区域が前記ヘッドに遠位側で接し、前記雄ねじが前記ねじ山のないシャフト区域に遠位側で接することが有利である。
【００２３】
前記固締要素を取り扱うことにとって、前記押下要素が前記固定要素上に回転可能に装着されることが好都合である。従って例えば、前記押下要素は前記保持区域に対するその位置を又は回転位置を維持することができ、同時に前記固定要素は軸方向にねじ締めすることができる。
【００２４】
更に、前記押下要素が前記固定要素上で軸方向において不動に又は略不動に保持されることが有利である。従って、前記固定要素が前記保持区域に向かう方向に移動すると、前記押下要素は、同時に前記接続要素を前記接続要素受け内に押し込み、この接続要素を中で保持することができる。
【００２５】
前記押下要素がスリーブ形の又は略スリーブ形の構成を有する場合、前記固締要素は製造することが特に簡単になる。従って特に、前記固定要素がこのようなヘッドを有する場合、押下要素は好ましくは前記ヘッドの遠位側で前記固定要素を包囲することができる。特に、前記押下要素の外径を前記ヘッドの外径に適合させ、前記固定要素及び前記押下要素により形成される固定ユニットの最大外径を前記ヘッドが有するようにすることができる。
【００２６】
前記押下要素が、長手方向軸に関して直径方向に対向する２つの凹部を含むことが好都合である。このことにより、例えば前記固定要素の前記雄ねじが前記凹部の領域において、埋込み器具の雌ねじと又は前記保持区域の雌ねじと相互作用することが可能である。
【００２７】
前記凹部が、前記押下要素の遠位端から出発して近位方向に延びるスリットの形態に構成されることにより、前記押下要素の構成は特に単純になる。更にこのような構造により、前記押下要素上の残存する突片を前記長手方向軸から離れる方へ及び前記長手方向軸に向かう方へ枢動することが可能になる。
【００２８】
前記押下要素を規定のかつ確実な仕方で前記固定要素上に装着するために、遠位方向に突き出る直径方向に対向する２つの押下突起を担持する保持リングを前記押下要素が含むことが好都合である。例えば前記押下要素の前記保持リングは、それ自体閉じているように、そして近位側で特に前記固定要素の前記ヘッド上に形成することのできる前記止めに突き当たるよう、特に前記固定要素上を遠位側から押圧されるように構成することができる。
【００２９】
前記保持リングは、好ましくは前記押下要素の近位端を形成する。従って特に、前記押下突起の遠位端は、前記接続要素受け内に位置決めされるべき前記接続要素と係合させることができる。
【００３０】
本発明の更なる好適な実施形態によれば、前記押下突起が前記直径方向に対向する２つの凹部により互いから分離されることを実現することができる。従って、前記押下要素がそれから形成される前記材料の前記構造及び選択肢が適切である場合、既に言及したように、前記押下突起はその遠位端が、前記長手方向軸に向かう方向に及び／又は前記長手方向軸から離れる方向に回り出る及び／又は跳ね出ることができる。
【００３１】
押下要素が接続要素に寄りかかる際特に、接続要素の断面が円い棒形の構成を有するときに、前記押下要素が極力大きい接触面を有するためには、前記押下突起の遠位端が遠位方向を向いて凹形に湾曲することが有利である。
【００３２】
前記押下要素の前記固定要素上での位置決めを最適化するため、特に、前記押下突起の周方向での位置をも最適化するために、前記押下突起が、周方向を向いて側方に突き出る案内突起を担持することが有利である。従って、これらの案内突起は前記固定要素の周りに前記押下突起自体よりも幾分遠くで係合する。
【００３３】
前記固定要素の挿入を、そして特にその周方向での整列を改良するために、前記案内突起が、遠位方向を向く傾斜した摺動面を有することが好都合である。このようにして、前記押下要素を担持する前記固定要素を挿入する際、前記押下要素の遠位端が前記接続要素と接触できることにとって必要な回転位置に挿入される間に、前記押下要素はそれ自体自動的に容易に整列することができる。
【００３４】
前記押下要素が前記固定要素に連結される接続位置において、前記保持リングの近位端が前記止めに寄りかかることが有利である。例えば、前記固定要素がそのヘッドに係合する挿入工具、特にねじ回しにより遠位方向に移動する場合、前記押下要素は固定要素と共に同時に遠位方向に移動する。
【００３５】
極力コンパクトな構成を達成するために、前記保持リングの外径が前記ヘッドの外径に対応する又はほぼ対応することが好都合である。
【００３６】
本発明の更なる好適な実施形態によれば、前記固定要素と前記押下要素とを接続位置において解放可能に接続するためのロック接続部を設けることができる。
【００３７】
特に前記ロック接続部が、少なくとも１つのロック突起、及び前記ロック突起と相互作用する少なくとも１つのロック凹部を含むことにより、前記固締要素の特に単純な設計を達成することができる。原則として、前記押下要素上と前記固定要素上の両方に前記ロック凹部を設けることができる。その際前記対応するロック突起は、それぞれの他の要素上に設けられるべきである。
【００３８】
前記少なくとも１つのロック突起が、前記押下要素上の前記長手方向軸に向かう方向を向く環状突起により形成されることが好都合である。それ故に、前記押下要素が、上述の直径方向に対向する２つのスリットを有する場合、前記環状突起も、周方向に延びる２つの区域に分割される。その際２つの区域は、いずれの場合も前記押下突起上に配置又は形成される。
【００３９】
前記少なくとも１つのロック突起を前記少なくとも１つのロック凹部と係合させることをより簡単にするために、前記少なくとも１つのロック突起が前記押下要素上で前記押下突起の前記領域内に配置されることが有利である。特に、このような構造により前記押下突起が移動する結果として、前記少なくとも１つのロック突起が、前記長手方向軸に向かう方向と前記長手方向軸から離れる方向の両方に移動することが可能になる。
【００４０】
前記少なくとも１つのロック凹部は、好都合なことに前記固定要素上で前記ヘッドと前記近位雄ねじ区域との間に形成される。従って前記少なくとも１つのロック突起がこのロック凹部に係合することが、単純な仕方で可能になる。更にこのようなロック凹部を、特に前記固定要素の前記雄ねじとヘッドとの間にねじ山のない区域を形成することにより製造することが簡単になる。
【００４１】
前記押下要素の前記固定要素上での軸方向位置決めが単純な仕方で達成されることを可能にするために、前記接続位置のときに前記少なくとも１つのロック突起が前記近位雄ねじ区域の近位端に近位側で寄りかかる又は突き当たることが有利である。特に、前記押下要素の保持リングが同時に前記固定要素の前記止めに寄りかかる場合、前記押下要素は前記固定要素上に装着され、前記固定要素に関して相対運動しないよう軸方向で固着される。
【００４２】
前記固定要素を所望のやり方で前記保持区域と係合させることを可能にするために、前記遠位固定要素区域が、近位方向を向いて開放している遠位工具要素受けを含むことが好都合である。前記遠位工具要素受けは、そのために設けられた工具と係合させることができ、前記遠位固定要素区域は、前記接続要素を前記固締要素上に前記固定要素によって規定の仕方で固定できるような仕方で、前記保持区域と係合させることができる。前記工具要素受けは多角形の断面とすることができ、例えば六角形の断面とすることができる。円みのある多数の内面の形態の又は前記遠位固定要素区域の内壁面に、この内壁面と重なるように形成された２つの、３つの、又はそれ以上の孔の形態の工具要素受けも考えられる。
【００４３】
前記遠位工具要素受けは、好ましくは前記遠位固定要素区域の長さ部分にほぼわたって軸方向に延びる。従って、基本的に前記遠位固定要素区域の、利用可能な長さ部分全体を使用して挿入工具と係合させることができる。
【００４４】
更に前記近位固定要素区域が、近位方向を向いて開放している近位工具要素受けを含むことが有利である。従って、例えば前記所定の折断点を切断する前に、前記固定要素は、前記近位工具要素受けと係合させることのできる挿入工具を用いて遠位方向に前記保持区域まで移動させ、必要な場合この保持区域と係合させることができる。
【００４５】
前記近位工具要素受けは、好ましくは前記固定要素の長さ部分にわたって延びる。前記固定要素の長さ部分は、軸方向における前記ヘッドの長さ部分に対応する又はほぼ対応する。このようにして、挿入工具、例えばねじ回しの前記近位工具要素受けとの確実な係合を保証することができる。
【００４６】
特に、前記近位工具要素受けは、多角形の特に四角形の又は六角形の断面を有することができ、又は円みのある多数の内面の形態にすることも、又はこの領域内で前記固定要素の内壁と重なる対応する孔を作成することにより形成することもできる。
【００４７】
好ましくは、前記固定要素の遠位端が閉じている。従って、この遠位端は、同時に挿入工具、例えばねじ込み具の遠位止めを形成するのであり、前記遠位固定要素区域を前記保持区域と係合状態にして、遠位固定要素区域を保持区域上に、例えばねじ締めにより固定する。
【００４８】
更に、前記固定要素の前記遠位端に少なくとも１つの貫通開口が設けられることが有利なことがある。貫通開口の数は、好ましくは円みのある多数の内面又は前記遠位工具要素受けを形成するために前記固定要素の内壁に設けられた凹部の前記数に対応する。
【００４９】
前記固締要素の安定性を増すために、前記固定要素が一体の構成を有することが有利である。例えば、固定要素は前記接続要素の固定に要する保持力を吸収することにとって適切な生体適合性金属から製作することができる。
【００５０】
前記押下要素は、好ましくは一体の構成を有する。従って押下要素は、例えば、特に、例えばポリエーテルエーテルケトン（ＰＥＥＫ）等の蒸気滅菌可能なプラスチック材料から射出成型することにより容易に製造することができる。
【００５１】
更に、前記固定要素と前記押下要素とが、異なる材料から形成されることが有利なことがある。特に、前記２つの要素は、前記それぞれの目的に特によく適している材料から形成することができ、例えば前記押下要素は、押下中に前記接続要素を損傷し得ない比較的軟質の材料から、例えば滅菌可能な生体適合性プラスチック材料から形成することができる。前記押下要素とは対照的に、前記固定要素は例えば生体適合性金属、特にチタン又はチタン合金から作製することができる。
【００５２】
本発明の更なる好適な実施形態によれば、前記脊柱安定化システムの前記外科用固締要素のうち少なくとも１つが、外科用固締要素の上述した有利な実施形態のうちの１つの形態であることが有利である。その際、前記脊柱安定化システムは概して上で述べた利点を有する。
【００５３】
本発明による前記脊柱安定化システムの更なる好適な実施形態によれば、前記保持区域に一時的に連結されるようになっており、前記固定要素の前記雄ねじに対応する雌ねじを有する案内スリーブを脊柱安定化システムが含むことを実現することができる。例えば、前記案内スリーブは、前記脊柱安定化システム内に包含される挿入器具類の一部として形成することができる。前記案内スリーブ上にある雌ねじのおかげで、例えば、前記固定要素を前記案内スリーブにねじ付け、従って軸方向におけるその位置を規定することが可能である。
【００５４】
前記案内スリーブが、前記固定要素の前記ヘッド用の及び／又は前記保持リング用の近位方向を向く止めを含むことが好都合である。このようにして、前記止めが前記案内スリーブ上で近位方向を向く限りにおいて前記固定要素を、特にその近位固定要素区域のみを、移動させることが可能である。従って前記固定要素を、規定のやり方で前記案内スリーブと係合させ、この案内スリーブに緊締することができる結果、次のステップにおいて前記接続要素を前記接続要素受け内に固定するために、特に、前記所定の折断点を破壊することにより前記遠位固定要素区域を前記近位固定要素区域から分離することができ、好ましくはこの遠位固定要素区域を前記保持区域上の雌ねじと、力に頼ることなく係合させることができる。
【００５５】
前記遠位固定要素区域を前記保持区域の雌ねじと力に頼ることなく係合させることを可能にするために、前記案内スリーブが前記保持区域に連結されて、前記固定要素が、前記案内スリーブの、近位方向を向く前記止めに突き当たる組立て位置において、前記遠位固定要素区域が遠位側で前記案内スリーブの雌ねじを越えて突き出ることが有利である。従って前記遠位固定要素区域は、前記所定の折断点を破壊することにより前記近位固定要素区域から分離することができ、力を加えずに更に遠位方向に移動させて前記保持区域に接続することができる。
【００５６】
更に前記組立て位置のとき、前記遠位固定要素区域が前記保持区域上の雌ねじから係合解除されることが好都合なことがある。従って前記遠位固定要素区域は、前記近位固定要素区域から分離し、前記保持区域上の雌ねじと、力に頼ることなく係合させることができる。
【００５７】
本発明の好適な実施形態の以下の記載は、図面と合わせるとより詳細に説明するように働く。
【図面の簡単な説明】
【００５８】
【図１】埋込み中の脊柱安定化システムの概略全体図。
【図２】椎体内に挿入された固締要素に連結される案内スリーブの図表示。
【図３Ａ】案内スリーブの分解図。
【図３Ｂ】図３Ａの領域Ａの拡大図。
【図３Ｃ】図３Ａの線３Ｃ‐３Ｃに沿って切り取った断面図。
【図４Ａ】案内スリーブの遠位端の固締要素と係合する前の概略分解図。
【図４Ｂ】図４Ａの線４Ｂ‐４Ｂに沿って切り取った断面図。
【図４Ｃ】案内スリーブが固締要素に連結される図４Ｂと同様の図。
【図５Ａ】固締要素に連結された案内スリーブの、内側スリーブが挿入される前の長手方向断面図。
【図５Ｂ】図５Ａの領域Ｂの拡大図。
【図６Ａ】固締要素に連結された案内スリーブの内側スリーブが、挿入された長手方向断面図。
【図６Ｂ】図６Ａの領域Ｃの拡大図。
【図６Ｃ】図６Ａの領域Ｄの拡大図。
【図７Ａ】内側スリーブが固締要素に連結される図６Ａと同様の図。
【図７Ｂ】図７Ａの領域Ｅの拡大図。
【図７Ｃ】図７Ａの領域Ｆの拡大図。
【図７Ｄ】図７Ａの領域Ｆの斜視図。
【図８】内側スリーブの部分断面図。
【図９Ａ】固定要素及び押下要素の分解図。
【図９Ｂ】固定要素及び押下要素の接続位置における斜視図。
【図９Ｃ】図９Ｂの線９Ｃ‐９Ｃに沿って切り取った断面図。
【図１０Ａ】固定要素を、押下要素と共に内側スリーブを通してねじ込む際に切り取った概略部分断面図。
【図１０Ｂ】近位方向を向く内側スリーブの止めに押下要素の保持リングが突き当たって押下要素が、接続要素を保持区域の接続要素受け内に押し込む組立て位置のときの図１０Ａと同様の部分断面図。
【図１１Ａ】所定の折断点を切断する前の図１０Ｂの配置の断面図。
【図１１Ｂ】遠位固定要素区域を、保持区域の雌ねじにねじ込んで接続要素を接続要素受け内で固定した後の図１１Ａと同様の図。
【図１２】相応に構成された固定要素を挿入する際の内側スリーブの、更なる実施形態の長手方向断面図。
【図１３】固定要素及び相応に構成された内側スリーブの更なる実施形態の、所定の折断点を切断する前の図１０Ｂの配置と同様の断面図。
【発明を実施するための形態】
【００５９】
図１は、脊柱１４の２つ以上の隣り合った椎骨１２を互いに対する然るべき位置にそれを用いて安定させることのできる全体として参照符号１０で表す脊柱安定化システムを概略的に示す。脊柱安定化システム１０は、ボーンスクリュー又は椎弓根スクリュー１８の形態の複数の固締要素１６を含む。複数の固締要素１６は、固締区域２０及び保持区域２２を有する。
【００６０】
保持区域２２は、接続要素２６を収容するための接続要素受け２４を有し、椎弓根スクリュー１８のヘッド２８上に形成される。ヘッド２８はフォーク形であり、固締要素１６の長手方向軸３０に関して直径方向に対向する保持区域３２を有する。保持区域３２に雌ねじ３４が設けられる。好ましくは固締区域２０が、骨ねじ山３６の設けられたシャフト３８の形態である結果、固締要素１６は椎骨１２に特にその椎弓根にねじ込むことができる。別法として、固締区域２０を骨鉤又は骨釘の形態にすることもできる。
【００６１】
任意で、固締区域２０と保持区域２２は、一体の構成とすることができ又は図に示す実施形態におけるように、互いに対して移動可能とすることができ、例えば固締区域２０と保持区域２２との間に形成される玉継手により規定される継手中心の周りで枢動可能とすることができる。従って、椎弓根スクリュー１８は特に多軸スクリューの形態である。
【００６２】
例えば、図９Ａに示す固定スクリュー４４の形態の固定要素４２が接続要素２６を固定するように働く。接続要素２６は、接続ロッド４０又はプレート形要素の形態にすることができる。図９Ｂ及び図９Ｃに概略的に示すような接続位置において、固定スクリュー４４は、接続要素２６を押す及び／又は押下するために押下要素に接続又は連結される。換言すれば、固定要素４２が押下要素４６を担持するとも言える。押下要素４６は、好ましくは回転可能であるように、但し軸方向に不動であるように、固定要素４２上に装着される。
【００６３】
固定要素４２及び押下要素４６の構成を、以下で図９Ａ〜図９Ｃと合わせてより詳細に説明する。
【００６４】
固定スクリュー４４は、直径の低減された、ねじ山のないシャフト区域５０が遠位側で接続された円筒形ヘッド４８を有する。シャフト区域５０に遠位側で接続されるのは、雄ねじ５２である。雄ねじ５２は、所定の折断点５４を形成する凹部５６により、近位雄ねじ区域５８と遠位雄ねじ区域６０とに分割される。凹部５６は環状溝の形態であり、好ましくは楔形であり、固定要素４２から離れる方を向いて開放している。この環状溝は、固定要素４２を外側でリングの形態に包囲する。固定要素４２は所定の折断点５４により、遠位固定要素区域４２と近位固定要素区域６４とに分けられる。固定要素４２は、全体として一体の構成であり、好ましくは生体適合性金属製、例えばチタン又はチタン合金製である。
【００６５】
固定要素は内部が中空であり、従って全体として略スリーブ形である。固定要素４２の内径は、その内側で２つの段部になって低減される。ヘッド４８の領域では、内径６６ａは、近位固定要素区域６４のそのほかの部分における内径６６ｂよりも幾分大きい。遠位固定要素区域６２の領域における内径６６ｃは、やはり内径６６ｂよりも幾分小さい。遠位固定要素区域６２は、遠位側では固定要素４２の長手方向軸７０に対して交差方向に底部６８が延びることにより閉じている。
【００６６】
近位方向を向いて開放している近位工具要素受け７２が、ヘッド４８の領域内に具体的には長手方向軸７０と平行に整列してヘッド４８の領域において、固定要素４２の中空円筒形のスリーブ壁７６内に部分的に形成される合計で６つの孔７４により形成される。従って、要するに円みのある多数の内面７８が形成されるのであり、この内面は対応するねじ込み具８０と係合させることができる。
【００６７】
遠位固定要素区域６２の領域では、長手方向軸７０と平行に整列してスリーブ壁７６に部分的に係合する合計で６つの孔８４を製作することにより、遠位固定要素区域６２の内側に、基本的には同様に形成される遠位工具要素受け８２が形成される。任意で図９Ｃに示す孔８４は底部６８を貫通し、従ってその貫通開口８６を形成することもできる。従って、要するに遠位固定要素区域６２も、遠位工具要素受け８２を規定する、円みのある多数の内面８８を有する。工具要素受け８２は、図１１Ａに概略的に示すように相応に構成されたねじ込み具９０と係合させることができる。
【００６８】
押下要素４６は略スリーブ形であり、押下要素の近位端９２でそれ自体閉じている保持リング９４を有する。接続位置のとき、端部９２は止め９８を形成するヘッド４８の遠位方向を向くリング形の止め面９６に寄りかかる。保持リング９４から遠位方向に延びているのは、接続位置のときにその遠位端１０２が遠位側で底部６８を越えて突き出る、長手方向軸７０に関して直径方向に対向する２つの押下突起１００である。端部１０２は、遠位方向を向いて凹形に湾曲しているのであり、任意で要素２６の曲率に適合させることができる。保持リング９４の外径はヘッド４８の外径に対応するため、接続位置のとき図９Ｂに概略的に示すような固定要素４２と押下要素４６とから成る完全な略円筒形の組立体が形成される。
【００６９】
押下突起１００は、長手方向軸７０に関して直径方向に対向する、凹部１０３を形成するスリット１０４により分離される。押下突起１００の両脇に形成されるのは、周方向に突出して互いを向く案内突起１０６である。案内突起１０６は、遠位方向を又はほぼ遠位方向を向く、傾斜した摺動面１０８を規定する。案内突起１０６は保持リング９４から幾分離間するのであり、周方向に開放している欠刻１１０が形成される。
【００７０】
押下突起１００上に形成されるのは、押下要素４６の内側１１４から突き出て長手方向軸７０に向かう方向を向くロック突起１１２である。スリット１０４が存在しなかった場合には、２つのロック突起１１２は環状突起により形成されることになる。ロック突起１１２は押下突起１００上で欠刻１１０の幾分遠位側の方へ配置される。ロック突起１１２は遠位方向を向いて傾いており、従って摺動面１１６をも有する。
【００７１】
押下要素４６の外径が案内突起１０６の遠位側の方へ幾分僅かに増加するため、それぞれの端部１０２に向かって、僅かに円錐形の外面区域１１８が形成される。
【００７２】
ねじ山のないシャフト区域５０は、ロック突起１１２用にロック凹部１２０を形成するのであり、固定要素４２と押下要素４６との間には全体としてロック接続部１２２が形成される。接続位置のとき、押下要素４６は保持リング９４が雄ねじ５２及びシャフト区域５０を越えて押圧されてヘッド４８に突き当たると、ロック突起１１２はロック凹部１２０内にロックする。
【００７３】
押下要素４６は、好ましくは蒸気滅菌可能なプラスチック材料から形成されるのであり、押下要素４６と固定要素４２とが合体される際、押下突起１００は、長手方向軸７０から幾分離れるように旋回し、ロック突起１１２がロック凹部１２０に侵入すると長手方向軸７０に向かう方向に弾性的に戻るように再度旋回することができる。
【００７４】
以下で図１〜図１１Ｂと合わせて、脊柱安定化システム１０の埋込みを概略的に説明する。
【００７５】
第１ステップにおいて、固締要素１６は所与の数で椎骨１２にねじ込まれる。接続要素２６を続いて固定要素４２を保持区域２２内に挿入できるようにするために、次のステップでは、案内スリーブ１２４が、知られているやり方で保持区域２２にロックすることにより連結される。このことを、図４Ｂ及び図４Ｃに概略的に示す。
【００７６】
案内スリーブ１２４を固締要素１６に連結した後、次のステップでは器具を案内するように働く内側スリーブ１２６が、近位側から案内スリーブ１２４内に導入される。内側スリーブ１２６は、その遠位端に遠位方向を向く４つのロッド形突起１２８を有する。４つのロッド形突起１２８は、保持区域２２と案内スリーブ１２４の両方と係合させることができる。内側スリーブ１２６の案内スリーブ１２４内への導入を、図５Ａ〜図７Ｄに概略的に示す。
【００７７】
上に記載した２つのステップの別法として、執刀医は、案内スリーブ１２４と、この案内スリーブ内に挿入される内側スリーブ１２６とから成るユニットを助手に渡させることもできる。執刀医は、これらのスリーブを保持区域２２にロックすることにより連結する。
【００７８】
内側スリーブ１２６には、その遠位端から出発して長手方向軸３０に関して直径方向に対向する窓様の２つの欠刻１３０が設けられる。従って、これらの欠刻１３０間には、これも長手方向軸３０に関して正反対にあり遠位方向を向く２つの連結突起１３２が形成される。連結突起１３２には、雌ねじ３４と同じ寸法の雌ねじ１３４が設けられる。雌ねじ３４と雌ねじ１３４の両方は、雄ねじ５２に対応するように形成される。
【００７９】
雌ねじ１３４に近位側で接しているのは、近位方向を向く止め面１３６である。止め面１３６の機能を以下で説明する。
【００８０】
次のステップにおいて、図１に概略的に示すように、保持器具１３８の連結された接続要素２６を、欠刻１３０を通して固締要素１６の接続要素受け２４内に導入することができる。
【００８１】
市場で入手可能な脊柱安定化システムとは異なり、ここでは、接続要素２６を接続要素受け２４内へ更なる器具を用いて押し込む必要はない。脊柱安定化システム１０において、この機能は押下要素４６を担持する固定要素４２に引き継がれる。
【００８２】
次のステップでは、図１０Ａに示すように固定要素４２が、ねじ込み具８０を用いて遠位方向へ内側スリーブ１２６の雌ねじ１３４にねじ付けられる。具体的には、図１０Ｂに概略的に示すように保持リング９４が止め面１３６に突き当たるまでである。ねじ込み具８０は、近位工具要素受け７２に係合する。押下突起１００の端部１０２は、ねじ込み中に接続要素２６と接触し、固定要素４２を更にねじ込む間、この接続要素を接続要素受け２４内に押し込む。図１１Ａの異なる断面斜視図から再度明白であるように、固定要素４２は、押下要素４６を用いて接続要素２６を接続要素受け２４内に保持する。保持リング９４が止め面１３６に突き当たるこの組立て位置のときに、遠位固定要素区域６２が、遠位側にて雌ねじ１３４を越えて突き出ること、従ってこの雌ねじと係合状態にないこともこの図から明らかである。
【００８３】
押下要素４６により保持される接続要素２６を保持区域２２上の接続要素受け２４内に最終的に固定するために、ねじ込み具８０が引き抜かれ、ねじ込み具９０が導入され、ねじ込み具９０の遠位端が遠位工具要素受け８２と係合させられる。ねじ込みにより近位固定要素区域６４が内側スリーブ１２６に連結されるおかげで、対応するトルクを加えることにより所定の折断点５４を破壊し、近位固定要素区域６４から遠位固定要素区域６２を不可逆的に分離することができる。従って遠位固定要素区域６２は自由になるため、この遠位固定要素区域を更に遠位方向に、近位固定要素区域６４とは無関係に移動させて雌ねじ３４と係合させ、底部６８が接続要素２６に突き当たるまで、従って接続要素２６が最終的に接続要素受け２４内で緊締状態に保持されるまで、この雌ねじ内にねじ込むことができる。
【００８４】
所与の接続要素２６は全て、固定要素４２を用いて記載したやり方で固締要素１６の保持区域２２上に固定される。
【００８５】
最終的に、押下要素４６が上に配置された近位固定要素区域６４は、ねじ込み具８０を用いて近位方向にねじを緩められ、案内スリーブ１２４から内側スリーブ１２６が近位方向に引き出され、案内スリーブ１２４は保持区域２２から連結解除される。別法として、案内スリーブ１２４と内側スリーブ１２６とから成るユニットを、概して１つのステップにおいて除去することもできる。今や脊柱安定化システム１０は、椎骨１２に所望するように固定される。
【００８６】
従って、特に記載した脊柱安定化システム１０は、知られているシステムに設けられるような、保持区域２２から近位方向に突き出る拡張部なしで済ますことができる。この拡張部がある場合、拡張部は固定要素４２を保持区域２２上に固定した後に、例えば折断により除去されねばならない。更に記載した脊柱安定化システム１０において、例えば案内スリーブ１２４の外側の周りに係合する更なる押し下げスリーブの形態のロッド押し込み器具を設けることは余分なものとなる。ロッド押し込み器具を設けることは、脊柱安定化システム１０を埋め込むための、低侵襲性のアクセス用の皮膚切開が幾分拡大されねばならないことになるという更なる欠点を有するであろう。提案される脊柱安定化システム１０により、この欠点は排除される。
【００８７】
図１２及び図１３に、内側スリーブ１２６’及びこの内側スリーブ１２６’と相互作用する固定要素４２’の代わりの実施形態を概略的に示す。内側スリーブ１２６’及び固定要素４２’は、その構成及び機能において内側スリーブ１２６及び固定要素４２にほぼ対応する。
【００８８】
内側スリーブ１２６’と内側スリーブ１２６との間の差異は、基本的に雌ねじ１３４’が内側スリーブ１２６’上で、内側スリーブ１２６上の雌ねじ１３４よりも更に幾分近位方向に配置されるということである。従って雌ねじ１３４’は、内側スリーブ１２６’の内径が幾分広がっている領域内に配置される。従って雌ねじ１３４’は、図１１Ａに概略的に示すように、固定要素４２が遠位方向で前方へ最大程度押圧されると、内側スリーブ１２６内では、雄ねじ５２に対して外径の拡大したヘッドが配置される場所に配置される。これとは対照的に、雌ねじ１３４’は今や、ヘッド４８’が正に着座するところに配置される。この雌ねじは、固定要素４２’のヘッド４８’上に形成される近位雄ねじ区域５８’の雄ねじと相互作用する。従って固定要素４２’は、互いから空間的に明らかに分離する２つの雄ねじ区域、具体的には遠位固定要素区域６２’上の遠位雄ねじ区域６０’と近位固定要素区域６４’上の近位雄ねじ区域５８’とを有する。従って近位雄ねじ区域５８’と遠位雄ねじ区域６０’はその直径も相違し、遠位雄ねじ区域６０’の方が幾分小さい外径である。
【００８９】
内側スリーブ１２６’は、内側スリーブ１２６との更なる差異を有する。その近位端から出発して、内側スリーブ１２６’の内壁面１４０’に螺旋溝１４２’が形成される。固定要素４２’の押下突起１００’の対応する突起が、螺旋溝１４２’に係合する結果、固定要素４２’を内側スリーブ１２６’内に挿入すると、押下突起１００’はスリット形の欠刻１３０’に係合できるような仕方で整列する。
【００９０】
固定要素４２’が機能する仕方は、基本的に固定要素４２の機能に対応する。同様のやり方で、図１０Ａ、図１０Ｂ，図１１Ａ、及び図１１Ｂと合わせて記載したように、ねじ込み具８０が近位固定要素受け７２’に係合すると、固定要素４２’が内側スリーブ１２６’の雌ねじ１３４’に遠位方向にねじ付けられる。具体的には、押下突起１００’の遠位端１０２’が接続要素２６に突き当たるまでである。固定要素４２’が更にねじ込まれると、押下突起１００’の端部１０２’は接続要素２６を接続要素受け２４内に押し込む。図１３に概略的に示すように、固定要素４２’は、押下要素４６’を用いて接続要素２６を接続要素受け２４内に保持する。押下突起１００’の遠位端１０２’が接続要素２６に突き当たるこの組立て位置のときに、遠位固定要素区域６２’が未だに雌ねじ３４と係合状態にないこともこの図からはっきりと明白である。
【００９１】
押下要素４６’により保持される接続要素２６を保持区域２２上の接続要素受け２４内に最終的に固定するために、ねじ込み具８０が引き抜かれ、ねじ込み具９０が挿入され、ねじ込み具９０の遠位端が遠位工具要素受け８２’と係合させられる。ねじ込みにより近位固定要素区域６４’が内側スリーブ１２６’に連結されるおかげで、対応するトルクを加えることにより所定の折断点５４’を破壊し、近位固定要素区域６４’から遠位固定要素区域６２’を不可逆的に分離することができる。従って、遠位固定要素区域６２’は自由になるため、この遠位固定要素区域を更に遠位方向に、近位固定要素区域６４’とは無関係に移動させて雌ねじ３４と係合させ、底部６８’が接続要素２６に突き当たるまで、従って接続要素２６が最終的に接続要素受け２４内で緊締状態に保持されるまで、この雌ねじ内にねじ込むことができる。
【００９２】
他の点では、脊柱安定化システム１０は上述のような内側スリーブ１２６’及び固定要素４２’でもって同様の仕方で機能する。
【００９３】
任意でねじ込み具８０及びねじ込み具９０の機能を、特に、多部分構成とすることのできる単一の器具に合体させることもできる。
【図１】
0006556117.tif 000002
【図２】
0006556117.tif 000003
【図３Ａ】
0006556117.tif 000004
【図３Ｂ】
0006556117.tif 000005
【図３Ｃ】
0006556117.tif 000006
【図４Ａ】
0006556117.tif 000007
【図４Ｂ】
0006556117.tif 000008
【図４Ｃ】
0006556117.tif 000009
【図５Ａ】
0006556117.tif 000010
【図５Ｂ】
0006556117.tif 000011
【図６Ａ】
0006556117.tif 000012
【図６Ｂ】
0006556117.tif 000013
【図６Ｃ】
0006556117.tif 000014
【図７Ａ】
0006556117.tif 000015
【図７Ｂ】
0006556117.tif 000016
【図７Ｃ】
0006556117.tif 000017
【図７Ｄ】
0006556117.tif 000018
【図８】
0006556117.tif 000019
【図９Ａ】
0006556117.tif 000020
【図９Ｂ】
0006556117.tif 000021
【図９Ｃ】
0006556117.tif 000022
【図１０Ａ】
0006556117.tif 000023
【図１０Ｂ】
0006556117.tif 000024
【図１１Ａ】
0006556117.tif 000025
【図１１Ｂ】
0006556117.tif 000026
【図１２】
0006556117.tif 000027
【図１３】
0006556117.tif 000028